(57)【要約】      （修正有）【課題】使用状態の手袋を展示するための準備が簡単になる展示具を提供する。【解決手段】展示具２は、展示品としての手袋が装着される密閉袋１０を備える。密閉袋１０は、内部へ気体を注入して膨張させることにより、手を模した形状となる。密閉袋１０は、掌を模した形状の掌袋部１１と、掌袋部１１から延び手先に模した形状の手先袋部１２と、を有する。手先袋部１２は、掌袋部１１から分岐するように延びる手先袋部１２Ａ〜１２Ｅを有する。展示具２は、さらに、手先袋部１２Ａ〜１２Ｅの上に位置する手と係合可能な係合部材２０を有する。【選択図】図２
0003187986.tif 000002
【実用新案登録請求の範囲】
【請求項１】
展示品としての手袋が装着される密閉袋を備え、
密閉袋の内部へ気体を注入して膨張させることにより、手を模した形状となる展示具であって、
前記密閉袋は、
掌を模した形状の掌袋部と、
前記掌袋部から延び手先に模した形状の手先袋部と、を有し、
前記手先袋部は、前記掌袋部から分岐するように延びる少なくとも第１手先袋部及び第２手先袋部を有し、
さらに、
前記第１手先袋部の上に設けられた第１手先係合部材と、
前記第２手先袋部の上に設けられた第２手先係合部材と、を有し、
前記第１手先袋部及び前記第１手先係合部材の間と、前記第２手先袋部及び前記第２手先係合部材の間とには、装着作業者の手または前記装着作業者が把持する袋係合部材が挿入される空間が形成されたことを特徴とする展示具。
【請求項２】
前記掌袋部の上に設けられた掌係合部材を有し、
前記掌袋部及び前記掌係合部材の間には、前記手または前記袋係合部材が挿入される空間が形成されたことを特徴とする請求項１記載の展示具。
【請求項３】
前記第１手先係合部材と前記第２手先係合部材とのうち少なくとも一方が、前記掌係合部材と一体となって形成されたことを特徴とする請求項２記載の展示具。
【請求項４】
前記第１手先係合部材と前記第２手先係合部材とが連なっていることを特徴とする請求項１ないし３のうちいずれか１項記載の展示具。
【請求項５】
前記第１手先係合部材は、前記第１手先袋部の上において前記装着作業者の第１の手先を幅方向に覆う第１手先係合部材を有し、
前記第２手先係合部材は、前記第２手先袋部の上において前記装着作業者の第２の手先を幅方向に覆う第２手先係合部材を有することを特徴とする請求項１ないし４のうちいずれか１項記載の展示具。
【請求項６】
前記第１手先袋部と前記第１手先係合部材とによって形成され前記第１の手先が挿入可能な第１手先挿入空間のうち、前記第１手先袋部の先端側の開口を閉塞する第１閉塞領域と、
前記第２手先袋部と前記第２手先係合部材とによって形成され前記第２の手先が挿入可能な第２手先挿入空間のうち、前記第２手先袋部の先端側の開口を閉塞する第２閉塞領域と、を有することを特徴とする請求項５記載の展示具。
【請求項７】
前記第１手先袋部と前記第１手先係合部材とを接合する第１手先接合線と、
前記第１手先袋部と前記第１閉塞領域とを接合する第１閉塞接合線と、
前記第２手先袋部と前記第２手先係合部材とを接合する第２手先接合線と、
前記第２手先袋部と前記第２閉塞領域とを接合する第２閉塞接合線とが連なっていることを特徴とすることを特徴とする請求項６記載の展示具。
【請求項８】
前記第１手先係合部材または前記第２手先係合部材のうち少なくとも一方には、孔が形成されたことを特徴とする請求項１ないし７のうちいずれか１項記載の展示具。
【請求項９】
前記密閉袋に設けられ前記密閉袋の姿勢を維持する姿勢維持機構を、さらに備えることを特徴とする請求項１ないし８のうちいずれか１項記載の展示具。
【請求項１０】
前記姿勢維持機構は、前記掌袋部に対して着脱自在であることを特徴とする請求項９記載の展示具。
【請求項１１】
前記姿勢維持機構は、前記密閉袋の内部空間において移動自在に収容されたことを特徴とする請求項９記載の展示具。
【請求項１２】
係止部材が係合可能な係合部を有することを特徴とする請求項１ないし１１のうちいずれか１項記載の展示具。
【請求項１３】
前記係合部は前記掌袋部に設けられたことを特徴とする請求項１２記載の展示具。
【請求項１４】
前記掌袋部及び前記手先袋部は、平板状に形成されたことを特徴とする請求項１ないし１３のうちいずれか１項記載の展示具。
【請求項１５】
前記密閉袋は板状に形成されるものであり、
前記密閉袋は、
自身の一方の面を形成する第１シートと、
前記第１シートに重なるように配され自身の他方の面を形成する第２シートと、
前記第１シート及び前記第２シートの間に密閉空間を形成するために、前記第１シートと前記第２シートとを接合する環状の密閉空間形成部と、
0  前記密閉空間形成部の内側に設けられ、前記第１シート及び前記第２シートを連結する内側接合部とを備えることを特徴とする請求項１ないし１４のうちいずれか１項記載の展示具。
【請求項１６】
前記密閉袋は、可撓性を有する段税材料から形成されたことを特徴とする請求項１ないし１５のうちいずれか１項記載の展示具。
【考案の詳細な説明】
【技術分野】
【０００１】
本考案は、展示具に関する。
【背景技術】
【０００２】
手の形をした展示具が知られている（例えば、非特許文献１）。このような展示具は、手に装着するもの、例えば、手袋を展示するために用いられる。このような展示具によれば、単に手袋を展示するのではなく、使用状態（装着状態）の手袋を展示することが可能となる。
【先行技術文献】
【非特許文献】
【０００３】
【非特許文献１】マネキンファクトリー   [平成２５年３月２８日検索]、インターネット＜ＵＲＬ：http://item.rakuten.co.jp/manekinya-r/m-sd18/＞
【考案の概要】
【考案が解決しようとする課題】
【０００４】
しかしながら、このような展示具を用いて手袋を展示しようとする場合、展示具、特に指の部分を、手袋の所定の部分へ収めることが非常に困難であった。このため、手袋を展示するための準備には多大な時間及び労力が必要となっていた。
【０００５】
本考案は、斯かる実情に鑑み、使用状態の手袋を展示するための準備が簡単になる展示具を提供しようとするものである。
【課題を解決するための手段】
【０００６】
本考案は、展示品としての手袋が装着される密閉袋を備え、密閉袋の内部へ気体を注入して膨張させることにより、手を模した形状となる展示具であって、前記密閉袋は、掌を模した形状の掌袋部と、前記掌袋部から延び手先に模した形状の手先袋部と、を有し、前記手先袋部は、前記掌袋部から分岐するように延びる少なくとも第１手先袋部及び第２手先袋部を有し、さらに、前記第１手先袋部の上に設けられ、前記第１手先袋部の上に位置する装着作業者の第１の手先と係合する第１手先係合部材と、前記第２手先袋部の上に設けられ、前記第２手先袋部の上に位置する装着作業者の第２の手先と係合する第２手先係合部材と、前記掌袋部の上に設けられ、前記掌袋部の上に位置する装着作業者の掌と係合する掌係合部材と、を有することを特徴とする。
【０００７】
前記第１手先係合部材と前記第２手先係合部材とのうち少なくとも一方が、前記掌係合部材と一体となって形成されたことが好ましい。また、前記第１手先係合部材と前記第２手先係合部材とが連なっていることが好ましい。
【０００８】
前記第１手先係合部材は、前記第１手先袋部の上において前記装着作業者の第１の手先を幅方向に覆う第１手先係合部材を有し、前記第２手先係合部材は、前記第２手先袋部の上において前記装着作業者の第２の手先を幅方向に覆う第２手先係合部材を有し、前記掌係合部材は、前記掌袋部の上において前記装着作業者の掌を幅方向に覆う掌係合部材を有することが好ましい。また、前記第１手先袋部と前記第１手先係合部材とによって形成され前記第１の手先が挿入可能な第１手先挿入空間のうち、前記第１手先袋部の先端側の開口を閉塞する第１閉塞領域と、前記第２手先袋部と前記第２手先係合部材とによって形成され前記第２の手先が挿入可能な第２手先挿入空間のうち、前記第２手先袋部の先端側の開口を閉塞する第２閉塞領域と、を有することが好ましい。さらに、前記第１手先袋部と前記第１手先係合部材とを接合する第１手先接合線と、前記第１手先袋部と前記第１閉塞領域とを接合する第１閉塞接合線と、前記第２手先袋部と前記第２手先係合部材とを接合する第２手先接合線と、前記第２手先袋部と前記第２閉塞領域とを接合する第２閉塞接合線とが連なっていることが好ましい。
【０００９】
前記第１手先係合部材及び前記第１手先袋部を接合する第１手先接合線と、前記第２手先係合部材及び前記第２手先袋部を接合する第２手先接合線と、のうち少なくとも一方が、前記掌係合部材と前記掌袋部とを接合する掌接合線に連なることが好ましい。また、前記第１手先係合部材または前記第２手先係合部材のうち少なくとも一方には、孔が形成されたことが好ましい。
【００１０】
前記密閉袋に設けられ前記密閉袋の姿勢を維持する姿勢維持機構を、さらに備えることが好ましい。また、前記姿勢維持機構は、前記掌袋部に対して着脱自在であってもよいし、前記密閉袋の内部空間において移動自在に収容されていてもよい。
【００１１】
係止部材が係合可能な係合部を有することが好ましい。また、前記係合部は前記掌袋部に設けられたことが好ましい。
【００１２】
前記掌袋部及び前記手先袋部は、平板状に形成されたことが好ましい。また、前記密閉袋は板状に形成されるものであり、前記密閉袋は、自身の一方の面を形成する第１シートと、前記第１シートに重なるように配され自身の他方の面を形成する第２シートと、前記第１シート及び前記第２シートの間に密閉空間を形成するために、前記第１シートと前記第２シートとを接合する環状の密閉空間形成部と、前記密閉空間形成部の内側に設けられ、前記第１シート及び前記第２シートを連結する内側接合部とを備えることが好ましい。さらに、前記密閉袋は、可撓性を有する段税材料から形成されたことが好ましい。
【考案の効果】
【００１３】
本考案によれば、使用状態の手袋を展示するための準備が簡単になる。
【図面の簡単な説明】
【００１４】
【図１】（Ａ）は、手袋が装着された第１の展示具の概要を示す正面図である。  （Ｂ）は、第１の展示具の概要を示す正面図である。
【図２】（Ａ）は、第１の展示具の概要を示す正面図である。  （Ｂ）は、第１の展示具を構成する密閉袋の概要を示す正面図である。
【図３】（Ａ）は、第１の展示具の概要を示す端面図である。  （Ｂ）は、第１の展示具の概要を示す側面図である。
【図４】第１の手係合部材の概要を示す正面図である。
【図５】（Ａ）は、密閉袋のＶａ−Ｖａ線断面図である。  （Ｂ）は、密閉袋のＶｂ−Ｖｂ線断面図である。  （Ｃ）は、密閉袋のＶｃ−Ｖｃ線断面図である。  （Ｄ）は、密閉袋のＶｄ−Ｖｄ線断面図である。  （Ｅ）は、密閉袋のＶｅ−Ｖｅ線断面図である。  （Ｐ）は、密閉袋のＶｐ−Ｖｐ線断面図である。
【図６】第１の展示具の概要を示す正面図である。
【図７】（Ａ）は、密閉袋が萎んだ状態の第１の展示具の概要を示す正面図である。  （Ｂ）は、手係合部材と密閉袋との間に手が挿入された状態の第１の展示具の概要を示す正面図である。  （Ｃ）は、手係合部材と密閉袋とによって手が係合した状態の第１の展示具を、手袋に装着する際の様子を示す説明図である。  （Ｄ）は、手が係合した状態の第１の展示具に手袋を装着した様子を示す説明図である。  （Ｅ）は、手袋が装着された第１の展示具の概要を示す正面図である。  （Ｆ）は、手袋が装着された第１の展示具を膨張させる様子を示す説明図である。
【図８】第１の展示具の概要を示す端面図である。
【図９】天井に係止された状態の第１の展示具の概要を示す正面図である。
【図１０】（Ａ）は、手先部分が上向きとなった状態で天井に係止された第１の展示具の概要を示す正面図である。  （Ｂ）は、手先部分が下向きとなった状態で天井に係止された第１の展示具の概要を示す正面図である。
【図１１】第２の手係合部材の概要を示す正面図である。
【図１２】（Ａ）は、第２の展示具の概要を示す正面図である。  （Ｂ）は、第２の展示具を構成する密閉袋の概要を示す正面図である。
【図１３】係合部材の概要を示す正面図である。
【図１４】（Ａ）は、手挿入空間に挿入された状態の袋係合板の概要を示す正面図である。  （Ｂ）は、袋係合板の概要を示す正面図である。
【図１５】（Ａ）は、板が突出状態となった場合の袋係合板の概要を示す正面図である。  （Ｂ）は、板が重なり状態となった場合の袋係合板の概要を示す正面図である。
【図１６】指の先端に相当する部分に突起が設けられた展示具の概要を示す正面図である。
【考案を実施するための形態】
【００１５】
以下、添付図面を参照して、本考案の実施の形態を説明する。
【００１６】
図１に示すように、展示具２は、手袋Ｇを展示するためのものである。手袋Ｇは、手に装着するものであって、例えば、防寒用の手袋の他、軍手、ミトン、礼服用手袋、医療用グローブ、野球のグローブやミット、ボクシンググローブや、格闘技用のオープンフィンガーグローブなどがある。図１及び図２（Ａ）に示すように、展示具２は、手袋Ｇが装着される密閉袋１０と、密閉袋１０の上に設けられた手係合部材２０を備える。
【００１７】
図２（Ｂ）に示すように、密閉袋１０は手を模した形状を有するものであり、手のひら及び手の甲（以下、総称して掌と称する）を模した形状を有する掌袋部１１と、手先を模した形状を有する手先袋部１２と、を備える。
【００１８】
また、手先袋部１２は、親指を模した形状の親指袋部１２Ａと、人差し指を模した形状の人差し指袋部１２Ｂと、中指を模した形状の中指袋部１２Ｃと、薬指を模した形状の薬指袋部１２Ｄと、小指を模した形状の小指袋部１２Ｅと、を有する。親指袋部１２Ａと、人差し指袋部１２Ｂと、中指袋部１２Ｃと、薬指袋部１２Ｄと、小指袋部１２Ｅとはそれぞれ、掌袋部１１から分岐して延びる。
【００１９】
図３に示すように、密閉袋１０は、一方の面（例えば、手のひら）を形成する第１シート１１０と、他方の面（例えば、手の甲）を形成する第２シート１２０と、底面を形成する底面シート１３０と、を有する。
【００２０】
図２（Ｂ）及び図３（Ｂ）に示すように、第１シート１１０と第２シート１２０とは接合線１３１にて接合され、第１シート１１０と底面シート１３０とは接合線１３２によって接合される。また、第２シート１２０と底面シート１３０とは、接合線１３３によって接合される。そして、接合線１３１〜１３３によって、各シート１１０、１２０、１３０から構成される密閉袋１０が形成される。また、第１シート１１０のうち接合線１３１及び接合線１３２によって囲まれる部分と、第２シート１２０のうち接合線１３２及び接合線１３３によって囲まれる部分とは、掌袋部１１において設けられる接合線１３６，１３７によって接合されていることが好ましい。接合線１３６，１３７により、密閉袋１０の形状は、掌により近いものとなる。
【００２１】
さらに、第１シート１１０には、密閉袋１０の内部空間へ気体を供給するための給気口１１１と、給気口１１１を閉塞可能な栓１１２とが設けられる。
【００２２】
図４に示すように、手係合部材２０は、親指係合部材２０Ａと、人差し指係合部材２０Ｂと、中指係合部材２０Ｃと、薬指係合部材２０Ｄと、小指係合部材２０Ｅと、掌係合部材２０Ｐと、を有する。
【００２３】
図５（Ａ）及び図６に示すように、親指係合部材２０Ａは、親指袋部１２Ａのうち第１シート１１０側の面において、親指袋部１２Ａの幅方向に延びる。こうして、親指係合部材２０Ａと親指袋部１２Ａとの間に、親指が挿入される親指挿入空間２０ＫＡが形成される。図５（Ｂ）及び図６に示すように、人差し指係合部材２０Ｂは、人差し指袋部１２Ｂのうち第１シート１１０側の面において、人差し指袋部１２Ｂの幅方向に延びる。こうして、人差し指係合部材２０Ｂと人差し指袋部１２Ｂとの間に、人差し指が挿入される人差し指挿入空間２０ＫＢが形成される。図５（Ｃ）〜５（Ｅ）及び図６に示すように、各係合部材２０Ｃ〜２０Ｅも、各袋部１２Ｂ〜１２Ｅの面において、それぞれ各袋部１２Ｂ〜１２Ｅの幅方向に延びる。そして、各係合部材２０Ｃ〜２０Ｅと各袋部１２Ｃ〜１２Ｅとの間には、それぞれの指が挿入可能な挿入空間２０ＫＣ〜２０ＫＥが形成される。さらに、各係合部材２０Ａ〜２０Ｅの両端は、袋部接合線２０ＹＡ〜２０ＹＥによって、各袋部１２Ａ〜１２Ｅにそれぞれ接合される。
【００２４】
図４に示すように、各係合部材２０Ａ〜２０Ｅには、孔２１が形成されることが好ましい。これにより、各挿入空間２０ＫＡ〜２０ＫＥにおける指の出し入れ作業がスムーズになる。孔２１は、複数設けられることが好ましい。また、孔２１の形状は、円状の他、スリット状でもよい。
【００２５】
さらに、手係合部材２０は、親指先閉塞部材２０ＡＸを有することが好ましい。親指先閉塞部材２０ＡＸは、親指挿入空間２０ＫＡ（図６参照）のうち親指袋部１２Ａの先端側に位置する開口を塞ぐ。同様に、手係合部材２０は、人差し指先閉塞部材２０ＢＸ、中指先閉塞部材２０ＣＸ、薬指先閉塞部材２０ＤＸ、及び小指先閉塞部材２０ＥＸを有することが好ましい。各部材２０ＢＸ〜２０ＥＸは、各空間２０ＫＢ〜ＫＥ（図６参照）のうち各袋部１２Ｂ〜１２Ｅの先端側に位置する開口を塞ぐ。さらに、各閉塞部材２０ＡＸ〜２０ＥＸ（図４参照）と各袋部１２Ａ〜１２Ｅ（図２（Ｂ）参照）とがそれぞれ閉塞接合線２０ＡＺ〜２０ＥＺ（図２（Ａ）参照）で接合される。各部材２０ＡＸ〜２０ＥＸを設けることにより、手係合部材２０の強度が向上し、手係合部材２０が破れにくくなる。
【００２６】
図５（Ｐ）及び図６に示すように、掌係合部材２０Ｐは、掌袋部１１のうち第１シート１１０側の面において、掌袋部１１の幅方向に延びる。こうして、掌係合部材２０Ｐと掌袋部１１との間に、掌が挿入される掌挿入空間２０ＫＰが形成される。また、掌係合部材２０Ｐ（図４参照）の両端は、掌接合線２０ＹＰ（図２（Ａ）参照）によって、掌袋部１１（図２（Ｂ）参照）と接合される。
【００２７】
図２（Ａ）に示すように、掌接合線２０ＹＰは、袋部接合線２０ＹＡや袋部接合線２０ＹＥと連なっていることが好ましい。また、袋部接合線２０ＹＡ〜２０ＹＥ同士もそれぞれ連なっていることが好ましい。閉塞接合線２０ＡＺは、２本の袋部接合線２０ＹＡ同士と連なっていることが好ましい。同様に、閉塞接合線２０ＢＺは、２本の袋部接合線２０ＹＢ同士と連なり、閉塞接合線２０ＣＺ〜ＥＺは、２本の袋部接合線２０ＹＢ〜２０ＹＥ同士を連なることが好ましい。このように各接合線２０ＹＡ〜２０ＹＥ、２０ＹＰ、２０ＡＺ〜２０ＥＺが１本に連なることにより、手の出し入れなどの作業において、各接合線にかかる応力が分散する。この結果、手係合部材２０が密閉袋１０から外れにくくなる。
【００２８】
図４に示すように、掌係合部材２０Ｐは、手係合部材２０の強度の点から、各係合部材２０Ａ〜２０Ｅと一体となっていることが好ましい。さらに、密閉袋１０と手係合部材２０との間には、掌挿入空間２０ＫＰと各挿入空間２０ＫＡ〜２０ＫＥとが連なった手挿入空間が形成されるため、手の出し入れがより容易となる。
【００２９】
図３，６に示すように、さらに、展示具２は、密閉袋１０の姿勢を維持する姿勢維持機構６０と、係合機構７０と、を備える。
【００３０】
姿勢維持機構６０は、密閉袋１０の内部空間ＭＫに配されるとともに底面シート１３０に固定される平板６１と、平板６１に固定される錘６２と、を有する。平板６１が底面となるように密閉袋１０を載置することにより、密閉袋１０は、起立した姿勢を維持することができる。
【００３１】
係合機構７０は、第１係合片７１と、第２係合片７２と、を有する。第１係合片７１には、係止部材（例えば、係止紐）が係合可能な係合穴７１Ｘが形成される。同様に、第２係合片７２には、係止部材（例えば、係止紐）が係合可能な係合穴７２Ｘが形成される。係合機構７０は、密閉袋１０のうち、展示具２に手袋Ｇが装着されない部分、すなわち、展示具２に手袋Ｇが装着された状態（図１参照）において、露出する部分に設けることが好ましい。
【００３２】
密閉袋１０や手係合部材２０を構成する各シートは、可撓性を有する弾性素材からなる。弾性素材としては、例えば、プラスチックがあり、プラスチックとしては、ビニール、すなわちポリ塩化ビニル（ＰＶＣ）や、ポリプロピレン等がある。これらのシートは、高周波接合手段の接合により、密閉袋状に形成される。
【００３３】
次に、展示具２の使用方法について説明する。
【００３４】
図７（Ａ）に示す展示具２では、密閉袋１０がしぼんだ状態である。密閉袋１０がしぼんだ状態のまま、密閉袋１０と手係合部材２０との間、すなわち、手挿入空間に手Ｈを挿入する（図７（Ｂ）参照）。
【００３５】
手挿入空間に挿入された手は、密閉袋１０や手係合部材２０と係合する。より詳しく言えば、親指挿入空間２０ＫＡ（図５（Ａ）参照）に挿入された親指は、親指の下に位置する親指係合部材２０Ａや、親指の幅方向を覆うように設けられた親指袋部１２Ａと係合する。人差し指挿入空間２０ＫＢ（図５（Ｂ）参照）に挿入された人差し指は、人差し指の下に位置する人差し指袋部１２Ｂや、人差し指の幅方向を覆うように設けられた人差し指係合部材２０Ｂと係合する。中指、薬指、小指についても親指や人差し指と同様であり、中指は中指挿入空間２０ＫＣ（図５（Ｃ）参照）に挿入され、中指袋部１２Ｃや中指係合部材２０Ｃと係合する。薬指は薬指挿入空間２０ＫＤ（図５（Ｄ）参照）に挿入され、薬指袋部１２Ｄや薬指係合部材２０Ｄと係合する。小指は小指挿入空間２０ＫＥ（図５（Ｅ）参照）に挿入され、小指袋部１２Ｅや小指係合部材２０Ｅと係合する。
【００３６】
次に、密閉袋１０や手係合部材２０と係合した状態（図７（Ｂ）参照）の手Ｈを、そのまま、展示物である手袋Ｇに挿入する（図７（Ｃ）参照）。このとき、密閉袋１０や手係合部材２０と係合した指は、そのまま手袋Ｇの所定の部分へ挿入する（図７（Ｄ）参照）。ここで、密閉袋１０は、可撓性を有する材料から形成されるため、密閉袋１０や手係合部材２０と係合した５本の指（親指、人差し指、中指、薬指、小指）は、この係合状態を維持したまま、それぞれ個別に移動可能である。したがって、手袋のうち親指が挿入される部分には、親指を挿入することにより、当該部分に親指袋部１２Ａが挿入することとなる（図７（Ｅ）参照）。同様にして、手袋のうち人差し指が挿入される部分には人差し指袋部１２Ｂが、手袋のうち中指が挿入される部分には中指袋部１２Ｃが、手袋のうち薬指が挿入される部分には薬指袋部１２Ｄが、手袋のうち小指が挿入される部分には小指袋部１２Ｅが、それぞれ、挿入することとなる。その後、展示具２を手袋Ｇの内部空間に残したまま、手のみを抜く。
【００３７】
その後、給気口１１１から栓１１２を外して、給気口１１１に気体供給具１５０を接続する（図７（Ｆ）参照）。気体供給具１５０を用いて、密閉袋１０の内部空間に気体を供給すると、密閉袋１０は、手袋Ｇを装着した状態のまま膨らむ。そして、所定の量の気体を密閉袋１０の内部空間に供給した後、給気口１１１から気体供給具１５０を外し、給気口１１１に栓１１２をする。膨らんだ密閉袋１０は手を模した形状となるため、密閉袋１０に装着された手袋Ｇは、手に装着された状態を再現することとなる。
【００３８】
また、手袋Ｇの展示が終わった場合には、給気口１１１から栓１１２（図３参照）を外して、密閉袋１０を萎ませる。密閉袋１０を萎ませることにより、密閉袋１０を手袋Ｇから引き抜くことができる。
【００３９】
このように、展示具２は、手を模した形状となる膨張状態と、萎み状態との間で切り替え自在な密閉袋１０を有する。密閉袋１０が萎み状態の場合には、手袋Ｇを展示具２に装着させる作業や、手袋Ｇから展示具２を取り外す作業が容易となる。また、密閉袋１０が膨張状態の場合には、手に装着された状態を再現する。したがって、展示具２は、このような膨張状態と萎み状態との間で切り替え自在な密閉袋１０を有するため、手袋Ｇを展示具２に装着させる作業や、手袋Ｇから展示具２を取り外す作業が容易となる。
【００４０】
さらに、展示具２は、可撓性を有する材料から形成された密閉袋１０及び手係合部材２０を備える。このため、密閉袋１０及び手係合部材２０の間に挿入した各指は、個別に移動可能な状態のまま、各指袋部１２Ａ〜１２Ｅと係合することとなる。したがって、かかる状態で展示具２を手袋Ｇに挿入した場合、手袋Ｇ内における指の動きによって、各指袋１２Ａ〜１２Ｅを手袋Ｇ内の所定の位置へ案内することができる。このように、展示具２は、密閉袋１０及び手係合部材２０を備えるため、各指袋１２Ａ〜１２Ｅを手袋Ｇ内の所定の位置へ案内する作業が容易となる。
【００４１】
そして、各指袋１２Ａ〜１２Ｅが手袋の所定の位置へ案内された後は、密閉袋１０を膨張状態にすることで、手に装着された状態を簡単に再現することができる。
【００４２】
さらに、展示具２を使用しない場合、すなわち手袋Ｇを展示しない場合には、密閉袋１０を萎み状態にして小さく折りたたむことができる。このように、展示具２によれば、従来の展示具に比べて省スペース化が可能となる。また、展示に用いる場合には、密閉袋１０を膨張状態にする必要があるが、この膨張状態にするためには、密閉袋１０の内部空間へ気体を導入すれば済む。したがって、展示具２は、従来の展示具に比べて非常に軽量である。このような軽量な展示具は、据え置き方式のほか、吊り下げ方式（例えば、図９や図１０）でも使用可能である。
【００４３】
加えて、密閉袋１０が十分に膨張している場合には、展示具２に装着された手袋Ｇには、自身の内側から外側に向けて張り出す力が作用する。この結果、展示具２に装着された手袋Ｇは、展示具２から取り外しにくくなる。したがって、手袋Ｇの展示中において、手袋Ｇが展示具２から脱落することを防ぐ。また、従来の展示具では行えなかった吊り下げ方式（例えば、図９や図１０）でも使用可能である。
【００４４】
なお、上記実施形態では、図３に示すように、密閉袋１０の内部空間ＭＫに配されるとともに底面シート１３０に固定される平板６１と、平板６１に固定される錘６２と、を用いて姿勢維持機構６０を構成したが、本考案はこれに限られない。図８に示すように、姿勢維持機構６０を、密閉袋１０の外側（例えば、底面シート１３０）に設けてもよい。この場合の姿勢維持機構６０として、例えば、錘を内蔵した平板６３を用いてもよい。さらに、着脱機構６６を用いて、姿勢維持機構６０を、密閉袋１０に対して着脱自在に設けてもよい。このような着脱機構６６は、例えば、平板６３に設けられる面ファスナー６６Ａと、底面シート１３０の外側の面に設けられ面ファスナー６６Ａに対して着脱自在な面ファスナー６６Ｂと、から構成される。
【００４５】
また、密閉袋１０の姿勢を維持する姿勢維持機構６０を用いて密閉袋１０の姿勢を維持したが、係る場合には係合機構７０（図３参照）を省略してもよい。
【００４６】
上記実施形態では、密閉袋１０の姿勢を維持する姿勢維持機構６０を用いて密閉袋１０の姿勢を維持したが、本考案はこれに限られず、係合機構７０を用いて、他の物体に係止させてもよい。かかる場合には、姿勢維持機構６０を省略してもよい。
【００４７】
例えば、図９に示すように、天井２００に設けられた第１係合リング２１０と、第１係合片７１の係合穴７１Ｘとに第１係止紐２１１を通して、第１係合リング２１０と第１係合片７１とを連結する。そして、天井２００に設けられた第２係合リング２２０と、第２係合片７２の係合穴７２Ｘとに第２係止紐２２１とを通して、第２係合リング２２０と第２係合片７２とを連結する。こうして、第１〜２係合リング２１０、２２０や第１〜２係止紐２１１、２２１により、展示具２を天井２００から吊るすことができる。すなわち、天井２００から吊るした状態で、手袋Ｇを展示することもできる。
【００４８】
さらに、図１０に示すように、密閉袋１０の内部空間ＭＫにおいて移動自在となるように錘２５０を配置することで、第１〜２係止紐２１１，２２１によって吊るされた際の展示具２の姿勢を調節することができる。例えば、第１係合片７１よりも底面シート１３０側に錘２５０が位置する状態で、展示具２を天井２００から吊るすと、展示具２は、手先が上向きの姿勢となる（図１０（Ａ）参照）。一方、第１係合片７１よりも手先袋部１２側に錘２５０が位置する状態で、展示具２を天井２００から吊るすと、展示具２は、手先が下向きの姿勢となる（図１０（Ｂ）参照）。したがって、密閉袋１０の内部空間ＭＫにおいて移動自在に配された錘２５０によって、係止された展示具２の姿勢を調節することができる。このように、密閉袋１０の内部空間（密閉空間）ＭＫにおいて移動自在となる錘２５０は、姿勢維持機構としても機能する。このような錘２５０としては、例えば、固体（砂や金属粉等のような粉状体や、粒状体等）や、液体を用いることができる。
【００４９】
図１０に示すように、膨張状態の密閉袋１０は、両面が共に平坦な板状（平板状）であることが好ましい。膨張状態の密閉袋１０が平板状である場合には、右手用の手袋Ｇであっても左手用の手袋Ｇであっても、当該密閉袋１０に対して装着可能となる。例えば、図２（Ａ）に示す展示具２に対し左手用の手袋Ｇを装着したい場合には、手の甲を密閉袋１０側にした状態で、左手を密閉袋１０と手係合部材２０との間に挿入すればよい。右手用の手袋Ｇを展示具２に装着したい場合には、手のひらを密閉袋１０側にした状態で、右手を密閉袋１０と手係合部材２０との間に挿入すればよい。
【００５０】
さらに、手袋Ｇが可撓性を有する場合には、当該手袋Ｇが右手用であっても、当該手袋Ｇの当該密閉袋１０への装着作業を、左手で行うことも可能となる。すなわち、展示具２に手袋Ｇを装着しようとする人の利き手が、右手であるか左手であるかに関わらず、展示具２に手袋Ｇを装着する作業が簡単になる。
【００５１】
上記実施形態では、掌係合部材２０Ｐは、各係合部材２０Ａ〜２０Ｅと一体となっていた（図４参照）が、本考案はこれに限られず、掌係合部材２０Ｐは、各係合部材２０Ａ〜２０Ｅと別体となっていてもよい（図１１参照）。さらに、図１１に示すように、各係合部材２０Ａ〜２０Ｅ同士が別体となっていてもよい。なお、掌係合部材２０Ｐが各係合部材２０Ａ〜２０Ｅと別体となっているとともに、各係合部材２０Ａ〜２０Ｅ同士がそれぞれ一体となっていてもよい。
【００５２】
また、上記実施形態では、手先袋部１２が、親指袋部１２Ａと、人差し指袋部１２Ｂと、中指袋部１２Ｃと、薬指袋部１２Ｄと、小指袋部１２Ｅと、を有した（図２（Ｂ）参照）が、本考案はこれに限られない。例えば、図１２に示すようなミトン型の展示具２でもよい。このミトン型の展示具２は、手袋Ｇが装着される密閉袋１０と、密閉袋１０の上に設けられた手係合部材２０を備え、密閉袋１０は、掌を模した形状を有する掌袋部１１と、手先を模した形状を有する手先袋部１２と、を備える。手先袋部１２が、親指袋部１２Ａと、人差し指と中指と薬指と小指とが一体となった形を模した形状の一体指袋部１２Ｘとを有する（図１２（Ｂ）参照）。そして、手係合部材２０は、親指袋部１２Ａの上にて親指袋部１２Ａの幅方向に延びる親指係合部材２０Ａと、一体指袋部１２Ｘの上にて一体指袋部１２Ｘの幅方向に延びる一体指係合部材２０Ｘと、掌袋部１１の上にて掌袋部１１の幅方向に延びる掌係合部材２０Ｐと、を有する（図１２（Ａ）参照）。
【００５３】
なお、図１３に示すように、係合機構７０は、給気口１１１に設けられた係合具７３を。さらに有していることが好ましい。展示具２に手袋Ｇが装着された状態（図１参照）において、給気口１１１は露出する部分に設けることが好ましい。第１係合片７１と第２係合片７２とともに係合具７３に第１〜２係止紐２１１、２２１（図９参照）を通して、展示具２を天井２００から吊るすことができる。これにより、展示具２をさまざまな姿勢で展示することができる。
【００５４】
上記実施形態では、手挿入空間に手を挿入したが、本発明はこれに限られない。図１４に示すように、袋係合板８０を手挿入空間に挿入し、袋係合板８０を密閉袋１０及び手係合部材２０に対し係合させてもよい。袋係合板８０は、親指挿入空間２０ＫＡに挿入される親指挿入部８０Ａと、人差し指挿入空間２０ＫＢに挿入される人差し指挿入部８０Ｂと、中指挿入空間２０ＫＣに挿入される中指挿入部８０Ｃと、薬指挿入空間２０ＫＤに挿入される薬指挿入部８０Ｄと、小指挿入空間２０ＫＥに挿入される小指挿入部８０Ｅと、各挿入部８０Ａ〜８０Ｅを各空間２０ＫＡ〜２０ＫＥにそれぞれ挿入した際、手係合部材２０から露出する露出部８０Ｒと、を備える。露出部８０Ｒは、袋係合板８０を手挿入空間へ挿入する作業の際、手で把持される把持部として機能する。
【００５５】
ところで、前述の袋係合板８０においては、親指挿入部８０Ａを有する部分が、他の部分に比べて突出している。このため、手の挿入口が比較的狭い手袋Ｇ（野球用またはゴルフ用の手袋等）を展示具２に装着する場合には、当該親指挿入部８０Ａを有する部分が
手袋Ｇの挿入口に引っかかってしまい、装着作業が困難なものとなる。一方、当該親指挿入部８０Ａを有する部分が手袋Ｇの挿入口に引っかからないようにするために、可撓性に富む材料から袋係合板８０を形成することも考えられる。しかしながら、この場合には、袋係合板８０の剛性が小さくなる結果、展示具２に手袋Ｇを装着する作業が困難になる。
【００５６】
そこで、袋係合板８０としては、図１５に示すように、親指挿入部８０Ａを有する板８２と、袋係合板８０のうち親指挿入部８０Ａ以外の部分（例えば、人差し指挿入部８０Ｂや中指挿入部８０Ｃ等）を有する板８３と、板８２が回動自在となるように板８３に取り付ける回動軸８４と、を備えていてもよい。板８２は、回動軸８４を中心とする回動によって、親指挿入部８０Ａが板８３と重なる状態（図１５（Ｂ）参照。以下、重なり状態と称する）と、親指挿入部８０Ａが板８３から突出する状態（図１５（Ａ）参照。以下突出状態と称する。）と、の間で切替自在となる。
【００５７】
図１５に示す袋係合板８０の使用方法について説明する。
【００５８】
まず、板８２が重なり状態（図１５（Ｂ）参照）となった袋係合板８０を、手挿入空間に挿入する。これにより、各挿入部８０Ｂ〜８０Ｅは、それぞれ、各空間２０ＫＢ〜２０ＫＥに挿入される。この後、露出部８０Ｒを把持して、袋係合板８０に係合された展示具２を、手袋Ｇに挿入する。これにより、各袋部１２Ｂ〜１２Ｅが、それぞれ、手袋Ｇの所定の位置に挿入される。その後、手袋Ｇの内部空間において、板８２を重なり状態（図１５（Ｂ）参照）から突出状態（図１５（Ａ）参照）へ切り替える。この板８２の切り替え操作により、手袋Ｇの内部空間において、親指挿入部８０Ａが親指挿入空間２０ＫＡ等に係合するとともに、親指袋部１２Ａが手袋Ｇの所定の位置に挿入される。このため、図１５に示す袋係合板８０は、手の挿入口が比較的狭い手袋Ｇについても、展示具２への装着作業が容易となる。
【００５９】
ところで、展示具２を手袋Ｇの内部空間に挿入させた後は、展示具２を手袋Ｇの内部空間に残したまま手や袋係合板を抜くが、手などを抜く際、手と共に展示具２が追従する結果、展示具２を手袋Ｇに装着できない場合がある。係る場合には、図１６に示すように、展示具２のうち指の先端に相当する部分（例えば、各袋部１２Ａ〜１２Ｅの先端、または、各係合部材２０Ａ〜２０Ｅの先端）に、突起８９をつけてもよい。この突起８９を設けることにより、展示具２を手袋Ｇの内部空間に挿入させた後、指の先端に相当する部分が、展示具２の内部空間のどこに位置するかを把握することが容易となる。さらに、手袋Ｇを介して突起８９を抑えることで、展示具２を挟むことができる。このため、突起８９を抑えながら手などを抜けば、展示具２を手袋Ｇの内部空間に残したまま手などを抜く作業が容易となる。
【００６０】
袋係合板８０は、プラスチック（例えば、ベルポーレン）や金属からなり、厚みは１〜２ｍｍ程度である。袋係合板８０は、手の形状を模して形成されたことが好ましい。
【００６１】
尚、本考案は、上記した実施の形態に限定されるものではなく、本考案の要旨を逸脱しない範囲内において種々変更を加え得ることは勿論である。
【符号の説明】
【００６２】
２    展示具
１０    密閉袋
１１    掌袋部
１２    手先袋部
１２Ａ    親指袋部
１２Ｂ    指袋部
１２Ｃ    中指袋部
１２Ｄ    薬指袋部
１２Ｅ    小指袋部
１２Ｘ    一体指袋部
２０    手係合部材
２０Ａ    親指係合部材
２０Ｂ    人差し指係合部材
２０Ｃ    中指係合部材
２０Ｄ    薬指係合部材
２０Ｅ    小指係合部材
２０ＫＡ    親指挿入空間
２０ＫＢ    人差し指挿入空間
２０ＫＣ    中指挿入空間
２０ＫＤ    薬指挿入空間
２０ＫＥ    小指挿入空間
２０ＫＰ    掌挿入空間
２０Ｐ    掌係合部材
２０Ｘ    一体指係合部材
２０ＹＡ〜２０ＹＥ    袋部接合線
２０ＹＰ    掌接合線
２１    孔
６０    姿勢維持機構
６１    平板
６２    錘
６３    平板
６６    着脱機構
６６Ａ    面ファスナー
６６Ｂ    面ファスナー
７０    係合機構
７１    係合片
７２    係合片
１１０    第１シート
１１１    給気口
１１２    栓
１２０    第２シート
１３０    底面シート
１３１〜１３３、１３６、１３７        接合線
１５０    気体供給具
２００    天井
２１０    係合リング
２１１    係止紐
２１１，２２１    係止紐
２２０    係合リング
２２１    係止紐
２５０    錘
【図１】
0003187986.tif 000003
【図２】
0003187986.tif 000004
【図３】
0003187986.tif 000005
【図４】
0003187986.tif 000006
【図５】
0003187986.tif 000007
【図６】
0003187986.tif 000008
【図７】
0003187986.tif 000009
【図８】
0003187986.tif 000010
【図９】
0003187986.tif 000011
【図１０】
0003187986.tif 000012
【図１１】
0003187986.tif 000013
【図１２】
0003187986.tif 000014
【図１３】
0003187986.tif 000015
【図１４】
0003187986.tif 000016
【図１５】
0003187986.tif 000017
【図１６】
0003187986.tif 000018
【手続補正書】
【提出日】平成25年10月10日(2013.10.10)
【手続補正１】
【補正対象書類名】実用新案登録請求の範囲
【補正対象項目名】全文
【補正方法】変更
【補正の内容】
【実用新案登録請求の範囲】
【請求項１】
展示品としての手袋が装着される密閉袋を備え、
密閉袋の内部へ気体を注入して膨張させることにより、手を模した形状となる展示具であって、
前記密閉袋は、
掌を模した形状の掌袋部と、
前記掌袋部から延び手先に模した形状の手先袋部と、を有し、
前記手先袋部は、前記掌袋部から分岐するように延びる少なくとも第１手先袋部及び第２手先袋部を有し、
さらに、
前記第１手先袋部の上に設けられた第１手先係合部材と、
前記第２手先袋部の上に設けられた第２手先係合部材と、を有し、
前記第１手先袋部及び前記第１手先係合部材の間と、前記第２手先袋部及び前記第２手先係合部材の間とには、装着作業者の手または前記装着作業者が把持する袋係合部材が挿入される空間が形成されたことを特徴とする展示具。
【請求項２】
前記掌袋部の上に設けられた掌係合部材を有し、
前記掌袋部及び前記掌係合部材の間には、前記手または前記袋係合部材が挿入される空間が形成されたことを特徴とする請求項１記載の展示具。
【請求項３】
前記第１手先係合部材と前記第２手先係合部材とのうち少なくとも一方が、前記掌係合部材と一体となって形成されたことを特徴とする請求項２記載の展示具。
【請求項４】
前記第１手先係合部材と前記第２手先係合部材とが連なっていることを特徴とする請求項１ないし３のうちいずれか１項記載の展示具。
【請求項５】
前記第１手先係合部材は、前記第１手先袋部の上において前記装着作業者の第１の手先を幅方向に覆う第１手先係合部材を有し、
前記第２手先係合部材は、前記第２手先袋部の上において前記装着作業者の第２の手先を幅方向に覆う第２手先係合部材を有することを特徴とする請求項１ないし４のうちいずれか１項記載の展示具。
【請求項６】
前記第１手先袋部と前記第１手先係合部材とによって形成され前記第１の手先が挿入可能な第１手先挿入空間のうち、前記第１手先袋部の先端側の開口を閉塞する第１閉塞領域と、
前記第２手先袋部と前記第２手先係合部材とによって形成され前記第２の手先が挿入可能な第２手先挿入空間のうち、前記第２手先袋部の先端側の開口を閉塞する第２閉塞領域と、を有することを特徴とする請求項５記載の展示具。
【請求項７】
前記第１手先袋部と前記第１手先係合部材とを接合する第１手先接合線と、
前記第１手先袋部と前記第１閉塞領域とを接合する第１閉塞接合線と、
前記第２手先袋部と前記第２手先係合部材とを接合する第２手先接合線と、
前記第２手先袋部と前記第２閉塞領域とを接合する第２閉塞接合線とが連なっていることを特徴とすることを特徴とする請求項６記載の展示具。
【請求項８】
前記第１手先係合部材または前記第２手先係合部材のうち少なくとも一方には、孔が形成されたことを特徴とする請求項１ないし７のうちいずれか１項記載の展示具。
【請求項９】
前記密閉袋に設けられ前記密閉袋の姿勢を維持する姿勢維持機構を、さらに備えることを特徴とする請求項１ないし８のうちいずれか１項記載の展示具。
【請求項１０】
前記姿勢維持機構は、前記掌袋部に対して着脱自在であることを特徴とする請求項９記載の展示具。
【請求項１１】
前記姿勢維持機構は、前記密閉袋の内部空間において移動自在に収容されたことを特徴とする請求項９記載の展示具。
【請求項１２】
係止部材が係合可能な係合部を有することを特徴とする請求項１ないし１１のうちいずれか１項記載の展示具。
【請求項１３】
前記係合部は前記掌袋部に設けられたことを特徴とする請求項１２記載の展示具。
【請求項１４】
前記掌袋部及び前記手先袋部は、平板状に形成されたことを特徴とする請求項１ないし１３のうちいずれか１項記載の展示具。
【請求項１５】
前記密閉袋は板状に形成されるものであり、
前記密閉袋は、
自身の一方の面を形成する第１シートと、
前記第１シートに重なるように配され自身の他方の面を形成する第２シートと、
前記第１シート及び前記第２シートの間に密閉空間を形成するために、前記第１シートと前記第２シートとを接合する環状の密閉空間形成部と、
0  前記密閉空間形成部の内側に設けられ、前記第１シート及び前記第２シートを連結する内側接合部とを備えることを特徴とする請求項１ないし１４のうちいずれか１項記載の展示具。
【請求項１６】
前記密閉袋は、可撓性を有する弾性材料から形成されたことを特徴とする請求項１ないし１５のうちいずれか１項記載の展示具。
【手続補正２】
【補正対象書類名】明細書
【補正対象項目名】００１２
【補正方法】変更
【補正の内容】
【００１２】
前記掌袋部及び前記手先袋部は、平板状に形成されたことが好ましい。また、前記密閉袋は板状に形成されるものであり、前記密閉袋は、自身の一方の面を形成する第１シートと、前記第１シートに重なるように配され自身の他方の面を形成する第２シートと、前記第１シート及び前記第２シートの間に密閉空間を形成するために、前記第１シートと前記第２シートとを接合する環状の密閉空間形成部と、前記密閉空間形成部の内側に設けられ、前記第１シート及び前記第２シートを連結する内側接合部とを備えることが好ましい。さらに、前記密閉袋は、可撓性を有する弾性材料から形成されたことが好ましい。